(57)【要約】【課題】造形粘土を延ばす押付作業と造形粘土に線や溝を描く微細作業とを行うことができ、能率的に造形作業を行うようにする。【解決手段】粘土細工用へら１０ａは、凹面形状のすくい加工面１３とすくい加工面１３に対して反対側の凸面形状の粘土押付面１４とを備え、棒状把持部１１の一端部に設けられる押付造形部１２と、棒状把持部１１の他端部に設けられ、粘土押付面１４よりも微細な造形を行う微細造形部２１と、を有し、棒状把持部１１、押付造形部１２および微細造形部２１は透明性を有する樹脂材料により一体に形成され、使用者の手に把持されて造形粘土を細工する。【選択図】図２
0003234863.tif 000002
【実用新案登録請求の範囲】
【請求項１】
使用者の手に把持される横断面円形の棒状把持部を有し、造形粘土を細工する粘土細工用へらであって、
凹面形状のすくい加工面と当該すくい加工面に対して反対側の凸面形状の粘土押付面とを備え、前記棒状把持部の一端部に設けられる押付造形部と、
前記棒状把持部の他端部に設けられ、前記粘土押付面よりも微細な造形を行う微細造形部と、を有し、
前記棒状把持部、前記押付造形部および前記微細造形部は透明性を有する樹脂材料により一体に形成されている、粘土細工用へら。
【請求項２】
請求項１に記載の粘土細工用へらにおいて、
前記押付造形部は、
前記棒状把持部の径に対応した幅寸法の基部と、当該基部よりも幅寸法が小さくなった突出端に向けて漸次幅が小さくなったテーパ部とを備える細長形状部であるか、
前記棒状把持部の径よりも大きな最大幅寸法の部分まで側面が湾曲した基部と、当該基部よりも幅寸法が小さくなった突出端に向けて漸次幅が小さくなったテーパ部とを備えるスプーン形状部であるか、または
前記棒状把持部の径よりも大きな最大幅寸法の部分まで側面が湾曲した基部と、当該基部よりも幅寸法が小さくなった突出端に向けて漸次幅が小さくなったテーパ部とを備え、かつ前記突出端から前記基部に向けて幅が大きくなった複数の凹凸筋からなる花びら造形部を備えるスプーン形状部である、粘土細工用へら。
【請求項３】
請求項１または２に記載の粘土細工用へらにおいて、
前記微細造形部は、
突出端に向けて漸次外径が小径となった穴明け造形用のテーパピンであるか、
突出端に向けて幅寸法が小さくなり、前記突出端に向かうにしたがって湾曲した形状の延ばし部であるか、または、
突出端に向けて幅寸法が小さくなり、かつ幅方向に傾斜し、線を造形するカッター部である、粘土細工用へら。
【請求項４】
使用者の手に把持される断面円形の棒状把持部を備え、それぞれ造形粘土を細工する第１の粘土細工用へらと、第２の粘土細工用へらと、第３の粘土細工用へらとにより構成される粘土細工用のへらセットであって、
それぞれの前記粘土細工用へらは、
凹面形状のすくい加工面と当該すくい加工面に対して反対側の凸面形状の粘土押付面とを備え、前記棒状把持部の一端部に設けられる押付造形部と、
前記棒状把持部の他端部に設けられ、前記粘土押付面よりも微細な造形を行う微細造形部と、を有し、
前記棒状把持部、前記押付造形部および前記微細造形部は透明性を有する樹脂材料により一体に形成される、粘土細工用のへらセット。
【請求項５】
請求項４記載の粘土細工用のへらセットにおいて、
前記第１の粘土細工用へらにおける前記押付造形部は、前記棒状把持部の径に対応した幅寸法の基部と、当該基部よりも幅寸法が小さくなった突出端に向けて漸次幅が小さくなったテーパ部とを有する細長形状部であり、
前記第２の粘土細工用へらにおける前記押付造形部は、前記棒状把持部の径よりも大きな最大幅寸法の部分まで側面が湾曲した基部と、当該基部よりも幅寸法が小さくなった突出端に向けて漸次幅が小さくなったテーパ部とを有するスプーン形状部であり、
前記第３の粘土細工用へらにおける前記押付造形部は、前記棒状把持部の径よりも大きな最大幅寸法の部分まで側面が湾曲した基部と、当該基部よりも幅寸法が小さくなった突出端に向けて漸次幅が小さくなったテーパ部とを備え、かつ前記突出端から前記基部に向けて幅が大きくなった複数の凹凸筋からなる花びら形状部を備えるスプーン形状部である、粘土細工用のへらセット。
【請求項６】
請求項４または５記載の粘土細工用のへらセットにおいて、
前記第１の粘土細工用へらにおける前記微細造形部は、突出端に向けて漸次外径が小径となった穴明け造形用のテーパピンであり、
前記第２の粘土細工用へらにおける前記微細造形部は、突出端に向けて幅寸法が小さくなり、前記突出端に向かうにしたがって湾曲した形状の延ばし部であり、
前記第３の粘土細工用へらにおける前記微細造形部は、突出端に向けて幅寸法が小さくなり、かつ幅方向に傾斜し、線を造形するカッター部である、粘土細工用のへらセット。
【考案の詳細な説明】
【技術分野】
【０００１】
本考案は、樹脂粘土等の造形粘土を用いて粘土細工を行うときに使用する粘土細工用へらおよびへらセットに関する。
【背景技術】
【０００２】
樹脂粘土、紙粘土、石塑粘土（石粉粘土）等の造形粘土を用いて、人形、植物、動物、乗り物、食べ物、建物等のフィギュアつまり立体物を造形することができる。立体物を造形する際には、造形粘土を延ばす押付作業や造形粘土に線や溝を描く微細作業がある。このような造形作業を行うには、粘土細工用へらが使用される。
【０００３】
特許文献１に記載される粘土細工用へらは、平板の両端部に粘土細工用縁部が形成された平板を有し、平板には複数の小型へらを収容する凹部が形成されている。このように、平板の両端部に粘土細工用縁部を設けると、複数の小型へらを収容する容器自体を、へらとして使用することができるとともに小型へらの紛失を防止することができる。
【０００４】
特許文献２は、粘土細工のみならず、目地に埋め込んだコーキング材を平坦にならす際に使用できるへらを開示している。このへらにおいては、へら部材の基端部には使用者に把持される把持部材が設けられ、先端部には先細りの鋭角の第１のテーパ部と第１のテーパ部に向けて先細りする鈍角の第２テーパ部とが設けられており、それぞれのテーパ部には弾性吸着部材が被覆されている。
【先行技術文献】
【特許文献】
【０００５】
【特許文献１】実用新案登録第２５７７１５５号公報
【特許文献２】実用新案登録第３１７４４３２号公報
【考案の概要】
【考案が解決しようとする課題】
【０００６】
特許文献１に記載される粘土細工用へらにおいては、複数の小型へらを収容する容器としての平板をへらとしても使用することができるという利点があるが、小型へら自体は先端部で造形作業を行うことができるのみである。
【０００７】
一方、特許文献２に記載されるへらは、把持部材の先端部に粘土細工用のテーパ部を有し、テーパ部は粘土を平坦に延ばしてならす作業に使用することができるが、粘土に微細な線や溝を形成するような微細作業には適していない。
【０００８】
本考案の目的は、造形粘土を延ばす押付作業と造形粘土に線や溝を描く微細作業とを行うことができ、能率的に造形作業を行うようにすることにある。
【課題を解決するための手段】
【０００９】
本考案の粘土細工用へらは、使用者の手に把持される横断面円形の棒状把持部を有し、造形粘土を細工する粘土細工用へらであって、凹面形状のすくい加工面と当該すくい加工面に対して反対側の凸面形状の粘土押付面とを備え、前記棒状把持部の一端部に設けられる押付造形部と、前記棒状把持部の他端部に設けられ、前記粘土押付面よりも微細な造形を行う微細造形部と、を有し、前記棒状把持部、前記押付造形部および前記微細造形部は透明性を有する樹脂材料により一体に形成される。
【００１０】
本考案の粘土細工用のへらセットは、使用者の手に把持される断面円形の棒状把持部を備え、それぞれ造形粘土を細工する第１の粘土細工用へらと、第２の粘土細工用へらと、第３の粘土細工用へらとにより構成される粘土細工用のへらセットであって、それぞれの前記粘土細工用へらは、凹面形状のすくい加工面と当該すくい加工面に対して反対側の凸面形状の粘土押付面とを備え、前記棒状把持部の一端部に設けられる押付造形部と、前記棒状把持部の他端部に設けられ、前記粘土押付面よりも微細な造形を行う微細造形部と、を有し、前記棒状把持部、前記押付造形部および前記微細造形部は透明性を有する樹脂材料により一体に形成される。
【考案の効果】
【００１１】
粘土細工用へらは、棒状把持部の一端部に設けられた押付造形部と、他端部に設けられた微細造形部とを有し、押付造形部を造形粘土に押し付けて造形粘土を延ばすことができ、微細造形部を造形粘土に押し付けることにより、押付造形部よりも微細な造形を行うことができる。さらに、粘土細工用へらは、透明性を有する樹脂材料により形成されており、造形した部分を、透明性の押付造形部や微細造形部を透過して目視観察することができる。これにより、造形作業を能率的に行うことができる。
【図面の簡単な説明】
【００１２】
【図１】一実施の形態である粘土細工用へらを示す斜視図である。
【図２】（Ａ）は図１の平面図であり、（Ｂ）は（Ａ）の正面図であり、（Ｃ）は（Ｂ）における１−１線断面図である。
【図３】他の実施の形態である粘土細工用へらを示す斜視図である。
【図４】（Ａ）は図３の平面図であり、（Ｂ）は（Ａ）の正面図であり、（Ｃ）は（Ｂ）における２−２線断面図である。
【図５】（Ａ）はさらに他の実施の形態である粘土細工用へらの表面側を示す斜視図であり、（Ｂ）は背面側を示す斜視図である。
【図６】（Ａ）は図５（Ａ）の平面図であり、（Ｂ）は（Ａ）の背面図であり、（Ｃ）は（Ａ）の正面図であり、（Ｄ）は（Ｃ）の左側面図であり、（Ｅ）は（Ｃ）における３−３線断面図である。
【図７】図１〜図６に示した３種類の粘土細工用へらをまとめて１つのセットを構成したへらセットを示す斜視図である。
【考案を実施するための形態】
【００１３】
以下、本考案の実施の形態を図面に基づいて詳細に説明する。それぞれの図面に示す粘土細工用へらを使用することにより、樹脂粘土等の造形粘土を用いて人形、植物等のフィギュアを造形することができる。以下の図面においては、共通性を有する部材には同一の符号が付されている。
【００１４】
（実施の形態１）
図１および図２に示す粘土細工用へら１０ａは、横断面円形の棒状把持部１１を有し、造形作業を行う使用者は棒状把持部１１を手に持って造形粘土を細工する。棒状把持部１１は長手方向中央部よりも両端部がやや小径となっており、棒状把持部１１の一端部には押付造形部１２が設けられている。押付造形部１２は凹面形状のすくい加工面１３とこのすくい加工面に対して反対側の凸面形状の粘土押付面１４とを備えており、すくい加工面１３と粘土押付面１４にはいずれも凹凸部はなく、平坦に仕上げられている。すくい加工面１３を押付造形部１２の表面側とし、反対側の粘土押付面１４は押付造形部１２の背面側とする。
【００１５】
押付造形部１２は、棒状把持部１１の長手方向中央部の径ｄにほぼ対応した幅寸法の基部１５と、突出端１６に向けて幅寸法が基部１５よりも漸次小さくなったテーパ部１７とを有している。押付造形部１２は、幅寸法よりも長さ寸法が大きい細長形状部である。押付造形部１２のすくい加工面１３を使用することにより、造形粘土をすくい加工面１３によりすくい上げて造形粘土の固まりから造形粘土を剥がし取ることができ、取り出した造形粘土の量を目視で計量することができる。さらに、凹面形状に対応して形状に造形粘土をすくい加工面１３により細工することもできる。
【００１６】
一方、押付造形部１２の粘土押付面１４を使用して造形粘土の表面を押し付けることにより、造形粘土を延ばすことができ、造形粘土の表面を複数回なぞることにより、表面を凹凸なく平坦に仕上げることができる。
【００１７】
棒状把持部１１の他端部には微細造形部２１が設けられている。微細造形部２１は基部２２から突出端２３に向けて漸次外径が小径となった穴明け造形用のテーパピン２４である。このテーパピン２４により造形粘土に穴明けを行うことができ、明けられた穴には、例えばビーズ等の部材を埋め込んで取り付けることができる。
【００１８】
人が指先で棒状把持部１１の一端部を掴んで押付造形部１２と微細造形部２１の一方を指先から突出させたときに、棒状把持部１１の他端部が手の甲の側となって押付造形部１２と微細造形部２１の他方が手の甲よりも後方となるように、棒状把持部１１の長さが設定されている。棒状把持部１１の一端部に押付造形部１２が設けられ、他端部に微細造形部２１が設けられているで、１本の粘土細工用へら１０ａにより、押付造形操作と微細造形操作とを選択的に行うことができる。
【００１９】
粘土細工用へら１０ａは、棒状把持部１１、押付造形部１２および微細造形部２１が一体となって透明性を有する樹脂材料により成形されており、透明性を有する樹脂材料としてはアクリル樹脂やポリカーボネート等を使用することができる。このように、粘土細工用へら１０ａは、透明性を有しているので、押付造形部１２の粘土押付面１４を造形粘土に押し付けて造形粘土を延ばしたときには、背面側の粘土押付面１４により造形処理された造形粘土の仕上げ状態を、押付造形部１２の表面側から押付造形部１２を透過して目視観察することができる。同様に、微細造形部２１のテーパピン２４により形成された穴の開口部の内部を、微細造形部２１を透過して目視観察することができる。
【００２０】
（実施の形態２）
図３および図４に示す粘土細工用へら１０ｂは、上述した粘土細工用へら１０ａと同様に、横断面形状が円形の棒状把持部１１を有し、使用者は棒状把持部１１を手に持って造形粘土を細工する。棒状把持部１１は長手方向中央部よりも両端部がやや小径となっており、棒状把持部１１の一端部には押付造形部１２が設けられている。押付造形部１２は凹面形状のすくい加工面１３とこのすくい加工面に対して反対側の凸面形状の粘土押付面１４とを備えており、すくい加工面１３と粘土押付面１４はいずれも凹凸部はなく、平坦に仕上げられている。
【００２１】
押付造形部１２は、上述した粘土細工用へら１０ａと相違し、棒状把持部１１の長手方向中央部の径ｄよりも大きな最大幅寸法Ｗの基部１５を有しており、棒状把持部１１の一端から基部１５までの押付造形部１２の側面は湾曲して幅寸法が大きくなっている。幅寸法Ｗは径ｄの約２倍である。押付造形部１２の側面は、基部１５から突出端１６に向けて漸次幅が小さくなったテーパ部１７となっている。このように、基部１５の幅寸法Ｗが棒状把持部１１の径ｄよりも大きくなっており、テーパ部１７の傾斜角度は、粘土細工用へら１０ａに比して大きいので、押付造形部１２はスプーン形状部となっている。
【００２２】
押付造形部１２がスプーン形状となっているので、すくい加工面１３は図１および図２に示したすくい加工面１３よりも広い面積であり、すくい加工面１３により、図１および図２に示したものよりも多量の造形粘土を造形粘土の固まりから削り取ることができる。さらに、凹面形状に対応した形状に造形粘土をすくい加工面１３により細工することもできる。
【００２３】
一方、押付造形部１２の粘土押付面１４を使用して造形粘土の表面を押し付けることにより、図１および図２に示したものよりも、造形粘土を広い面積で延ばすことができ、造形粘土の表面を複数回なぞることにより、表面を凹凸なく平坦に仕上げることができる。この粘土細工用へら１０ｂの粘土押付面１４は、粘土細工用へら１０ａの粘土押付面１４よりも延ばすことができる領域は広い。
【００２４】
棒状把持部１１の他端部には微細造形部２１が設けられている。微細造形部２１は基部２２から突出端２３に向けて幅寸法が小さくなった延ばし部２５である。延ばし部２５は図４に示されるように、幅方向には平面であり、基部２２から突出端２３に向けて表面側に湾曲しており、表面側は凹面２６であるのに対して背面側は凸面２７である。凸面２７からなる湾曲面を用いることにより、押付造形部１２の粘土押付面１４よりも狭い範囲を細かく延ばすことができる。さらに、凹面２６により造形粘土の固まりから細長い部分をすくい取ることができる。
【００２５】
棒状把持部１１の長さは、図１および図２に示した粘土細工用へら１０ａの棒状把持部１１とほぼ同様である。
【００２６】
粘土細工用へら１０ｂも粘土細工用へら１０ａと同様に、透明性の樹脂材料により形成されている。したがって、押付造形部１２の粘土押付面１４を造形粘土に押し付けて造形粘土を延ばしたときには、背面側の粘土押付面１４により造形処理された造形粘土の仕上げ状態を、押付造形部１２の表面側から目視観察することができる。同様に、微細造形部２１の延ばし部２５により形成された造形表面を延ばし部２５の表面側から目視観察することができる。
【００２７】
（実施の形態３）
図５および図６に示す粘土細工用へら１０ｃは、上述した粘土細工用へら１０ａ、１０ｂと同様に、横断面形状が円形の棒状把持部１１を有し、使用者は棒状把持部１１を手に持って造形粘土を細工する。棒状把持部１１は長手方向中央部よりも両端部がやや小径となっており、棒状把持部１１の一端部には押付造形部１２が設けられている。押付造形部１２は凹面形状のすくい加工面１３とこのすくい加工面に対して反対側の凸面形状の粘土押付面１４とを備えている。すくい加工面１３は上述した粘土細工用へら１０ａ、１０ｂと同様に凹凸部はなく、平坦に仕上げられている。これに対して、粘土押付面１４には、図５（Ｂ）および図６（Ｂ）に示されるように、押付造形部１２の突出端から基部に向けて幅が大きくなった複数の凹凸筋１８からなる花びら造形部１９が設けられており、花びら造形部１９により造形粘土のカーネーションのような花びらを造形することができる。
【００２８】
押付造形部１２は、上述した粘土細工用へら１０ｂと同様に、棒状把持部１１の長手方向中央部の径ｄよりも大きな最大幅寸法Ｗの基部１５を有しており、棒状把持部１１の一端から基部１５までの押付造形部１２の側面は湾曲して幅寸法が大きくなっている。幅寸法Ｗは径ｄの約２倍である。押付造形部１２の側面は、基部１５から突出端１６に向けて漸次幅が小さくなったテーパ部１７となっている。このように、幅寸法Ｗが棒状把持部１１の径ｄよりも大きくなっているので、押付造形部１２の形状はスプーン形状部となっている。
【００２９】
押付造形部１２の形状がスプーン形状となっているので、すくい加工面１３は図１および図２に示したすくい加工面１３よりも広い面積であり、すくい加工面１３により、図１および図２に示したものよりも多量の造形粘土を造形粘土の固まりから取り出すことができる。さらに、凹面形状に対応した形状に造形粘土を細工することもできる。
【００３０】
一方、押付造形部１２の粘土押付面１４には、花びら造形部１９が設けられているので、花びら造形部１９を造形粘土に押し付けると、造形粘土の表面にカーネーションのような花びら模様を造形することができる。
【００３１】
棒状把持部１１の他端部に設けられた微細造形部２１は、上述した粘土細工用へら１０ａ、１０ｂと相違して、基部２２から突出端２３に向けて幅寸法が小さくなり、さらに、幅方向に傾斜した傾斜面２８を有するカッター部２９となっている。このカッター部２９は線や筋を造形するために使用することができる。カッター部２９の傾斜面２８が基部２２から突出端２３に向けて幅方向に傾斜しているので、図６（Ｂ）に示されるように、傾斜面２８を下側つまり造形粘土側として造形粘土に線や筋を造形するときに、作業者による操作性を向上させることができる。
【００３２】
棒状把持部１１の長さは、図１および図２に示した粘土細工用へら１０ａ、１０ｂの棒状把持部１１と同様である。
【００３３】
粘土細工用へら１０ｃも、粘土細工用へら１０ａ、１０ｂと同様に、透明性の樹脂材料により形成されている。したがって、押付造形部１２の花びら造形部１９を造形粘土に押し付けて造形粘土を延ばして花びらを造形粘土に形成しているときに、花びらを押付造形部１２の表面側から目視観察することができる。同様に、微細造形部２１のカッター部２９により形成された線や筋の形状を微細造形部２１の表面側から目視観察することができる。
【００３４】
なお、それぞれの粘土細工用へら１０ａ、１０ｂ、１０ｃにおける棒状把持部１１の表面側には、長手方向の中央部に位置させて表示部３０が設けられており、メーカー名やマークなどが表示される。
【００３５】
上述のように、それぞれの粘土細工用へら１０ａ、１０ｂ、１０ｃは棒状把持部１１の両端部に押付造形部１２と微細造形部２１とが設けられており、押付造形部１２と微細造形部２１と組合せは、上述した形態に限られず、任意に組み合わせることができる。例えば、図１に示した細長形状部からなる押付造形部１２と、図３に示した延ばし部２５または図５に示したカッター部２９からなる微細造形部２１とを備えた粘土細工用へらとすることもできる。さらに、図３に示したスプーン形状部からなる押付造形部１２と、図１に示したテーパピン２４または図５に示したカッター部２９からなる微細造形部２１とを備えた粘土細工用へらとすることもできる。
【００３６】
（へらセット）
図７は上述の３種類の粘土細工用へら１０ａ、１０ｂ、１０ｃを、包装部材３１に収容したへらセット３２を示す。この粘土細工用のへらセット３２においては、粘土細工用へら１０ａを第１の粘土細工用へらとし、粘土細工用へら１０ｂを第２の粘土細工用へらとし、粘土細工用へら１０ｃを第３の粘土細工用へらとして、３本のへらにより構成される。したがって、使用者は造形作業に応じて３種類のへらからいずれかを選択することにより、多種類の造形作業を行うことができる。３種類の粘土細工用へら１０ａ、１０ｂ、１０ｃのいずれを第１〜第３の粘土用へらとしてもよい。また、包装部材３１としては、透明性のビニール袋、樹脂製や紙製の箱部材を使用することができる。
【００３７】
本考案は前記実施の形態に限定されるものではなく、その要旨を逸脱しない範囲で種々変更可能である。例えば、押付造形部１２と微細造形部２１の形状は一例であり、種々変更することができる。
【符号の説明】
【００３８】
１１    棒状把持部
１２    押付造形部
１３    すくい加工面
１４    粘土押付面
１５    基部
１６    突出端
１７    テーパ部
１８    凹凸筋
１９    花びら造形部
２１    微細造形部
２２    基部
２３    突出端
２４    テーパピン
２５    延ばし部
２６    凹面
２７    凸面
２８    傾斜面
２９    カッター部
３１    包装部材
３２    へらセット
【図１】
0003234863.tif 000003
【図２】
0003234863.tif 000004
【図３】
0003234863.tif 000005
【図４】
0003234863.tif 000006
【図５】
0003234863.tif 000007
【図６】
0003234863.tif 000008
【図７】
0003234863.tif 000009